(57)【要約】【課題】不慣れな利用者であっても、ベンチとして使用していた状態からかまどとして使用できる状態に変えることが容易な、かまど兼用ベンチの提供。【解決手段】設置面に接する一対の側壁部２ａ，２ｂと、前記一対の側壁部２ａ，２ｂを連結する座部３とを備え、前記一対を構成する側壁部２ａ，２ｂは、ベンチとして使用する場合に前記設置面に接する第１接地可能部２１と、前記第１接地可能部２１とは異なる部分であり、かまどとして使用する場合に前記設置面に接する第２接地可能部２２とを有し、前記第１接地可能部２１が前記設置面に接する状態では、前記座部３は上方に位置し、この座部３に利用者が座ることのできる状態となり、前記第２接地可能部２２が前記設置面に接する状態では、前記座部３は後方に位置し、前記一対の側壁部２ａ，２ｂと前記座部３とに囲まれた空間に燃料を配置できる状態となる。【選択図】図１
2013244176.tif 000002
【特許請求の範囲】
【請求項１】
ベンチとして使用でき、かまどとしても使用できるかまど兼用ベンチであって、
設置面に接する一対の側壁部と、前記一対の側壁部を連結する座部とを備え、
前記一対を構成する側壁部はそれぞれ、ベンチとして使用する場合に前記設置面に接する第１接地可能部と、前記第１接地可能部とは異なる部分であり、かまどとして使用する場合に前記設置面に接する第２接地可能部とを有し、
前記第１接地可能部が前記設置面に接する状態では、前記座部は上方に位置し、この座部に利用者が座ることのできる状態となり、
前記第２接地可能部が前記設置面に接する状態では、前記座部は後方に位置し、前記一対の側壁部と前記座部とに囲まれた空間に燃料を配置できる状態となるかまど兼用ベンチ。
【請求項２】
前記一対の側壁部を連結する支持部を備え、
前記支持部は、前記第２接地可能部が前記設置面に接した状態で上方に位置することで調理器具を支持できる請求項１に記載のかまど兼用ベンチ。
【請求項３】
前記側壁部と前記座部とが不燃材料から形成された請求項１または２に記載のかまど兼用ベンチ。
【請求項４】
前記側壁部と前記座部とが一体に形成された請求項３に記載のかまど兼用ベンチ。
【請求項５】
前記第１接地可能部と前記第２接地可能部との間に、断面形状が円弧状である湾曲面を有する転倒補助部を備えた請求項１〜４のいずれかに記載のかまど兼用ベンチ。
【請求項６】
前記一対の側壁部は、一方と他方とが平行な関係にあり、かつ、それぞれのかまど兼用ベンチの側方視による形状が長方形または正方形の板状体であり、
前記第１接地可能部は前記長方形または正方形における一辺に対応する側面であり、
前記第２接地可能部は前記長方形または正方形における前記第１接地可能部に対して直交する辺に対応する側面である請求項１〜５のいずれかに記載のかまど兼用ベンチ。
【請求項７】
前記一対の側壁部は、一方と他方とが平行な関係にあり、かつ、それぞれのかまど兼用ベンチの側方視による形状が長方形または正方形の板状体であり、
前記長方形または正方形における一辺に沿って前記座部が位置し、
前記座部の設けられた辺に対して平行な辺に沿って前記第１接地可能部が位置し、
前記座部の設けられた辺に対して直交する２辺に沿って前記第２接地可能部が位置し、
前記座部の設けられた辺に対して直交する２辺のうち一方の辺に沿って、前記一対の側壁部を連結する複数の棒状体から構成され、調理器具を支持できる支持部が位置し、
前記座部の設けられた辺に対して直交する２辺のうち他方の辺に沿って、前記一対の側壁部を連結する複数の棒状体から構成され、燃料を支持できる下方側支持部が位置する請求項１〜５のいずれかに記載のかまど兼用ベンチ。
【発明の詳細な説明】
【技術分野】
【０００１】
本発明は、ベンチとして使用でき、かまどとしても使用できるかまど兼用ベンチに関する。
【背景技術】
【０００２】
従来、平常時にはベンチとして使用でき、地震等の災害発生時にはかまどとして使用できるかまど兼用ベンチが提案されている。一例として特許文献１に示すものがある。
【０００３】
特許文献１に記載されたかまど兼用ベンチは、公園等に設置されるもので、コンクリート製の一対の支持台と、この一対の支持台の間に設けられた座部を備える。そして、座部の下方にはステンレス製のグリルとグレーチング、そして風防パネルが収納されている。災害発生時には、支持台から座部を取り外し、その後、グリル、グレーチング、風防パネルを支持台の所定位置に取り付ける。これにより、グリル上に置いた鍋やフライパンなどの調理器具を、グレーチング上に置いた材木などの燃料を燃やして加熱し、食材の煮炊きを行うことができる。
【０００４】
この特許文献１に記載されたかまど兼用ベンチでは、ベンチとして使用していた状態からかまどとして使用できる状態に変えるために、座部を取り外し、その上でグリル、グレーチング、風防パネルの取り付けを行う必要がある。しかしながら、災害発生時においては、利用者が前記のようにしてかまどとして使用できる状態に変える方法を知らない可能性があるため、せっかくこのかまど兼用ベンチを公園等に設置しておいても、災害発生時に十分に活用できない場合がある。
【先行技術文献】
【特許文献】
【０００５】
【特許文献１】特許第４３９７４２８号公報
【発明の概要】
【発明が解決しようとする課題】
【０００６】
そこで本発明は前記問題に鑑み、不慣れな利用者であっても、ベンチとして使用していた状態からかまどとして使用できる状態に変えることが容易な、かまど兼用ベンチを提供することを課題とする。
【課題を解決するための手段】
【０００７】
本発明は、ベンチとして使用でき、かまどとしても使用できるかまど兼用ベンチであって、設置面に接する一対の側壁部と、前記一対の側壁部を連結する座部とを備え、前記一対を構成する側壁部はそれぞれ、ベンチとして使用する場合に前記設置面に接する第１接地可能部と、前記第１接地可能部とは異なる部分であり、かまどとして使用する場合に前記設置面に接する第２接地可能部とを有し、前記第１接地可能部が前記設置面に接する状態では、前記座部は上方に位置し、この座部に利用者が座ることのできる状態となり、前記第２接地可能部が前記設置面に接する状態では、前記座部は後方に位置し、前記一対の側壁部と前記座部とに囲まれた空間に燃料を配置できる状態となるかまど兼用ベンチである。
【０００８】
この構成によると、側壁部がそれぞれ第１接地可能部と第２接地可能部とを有する。これにより、利用者がかまど兼用ベンチを転倒させて第１接地可能部が設置面に接した状態から第２接地可能部が設置面に接した状態にするだけで、かまどとして使用できる。
【０００９】
また本発明は、前記一対の側壁部を連結する支持部を備え、前記支持部は、前記第２接地可能部が前記設置面に接した状態で上方に位置することで調理器具を支持できるものであって良い。
【００１０】
この構成によると、支持部で調理器具を支持できる。このため、調理器具を支持するために、利用者が鉄棒等をわざわざ探してくる必要がない。
【００１１】
また本発明は、前記側壁部と前記座部とが不燃材料から形成されたものとできる。この構成によると、側壁部と座部が炎に面しても燃え上がらない。このため、かまど兼用ベンチから部材を取り外さずにかまどとして使用できる。
【００１２】
また本発明は、前記側壁部と前記座部とが一体に形成されたものとできる。この構成によると、かまど兼用ベンチの製造が容易である。
【００１３】
また本発明は、前記第１接地可能部と前記第２接地可能部との間に、断面形状が円弧状である湾曲面を有する転倒補助部を備えたものとできる。
【００１４】
この構成によると、転倒補助部が湾曲面を有する。これにより、利用者がかまど兼用ベンチを転倒させることにより、第１接地可能部が設置面に接した状態から第２接地可能部が設置面に接した状態にすることを容易にできる。
【００１５】
また本発明の前記側壁部は、前記一対の側壁部は、一方と他方とが平行な関係にあり、かつ、それぞれのかまど兼用ベンチの側方視による形状が長方形または正方形の板状体であり、前記第１接地可能部は前記長方形または正方形における一辺に対応する側面であり、前記第２接地可能部は前記長方形または正方形における前記第１接地可能部に対して直交する辺に対応する側面であるものとできる。
【００１６】
この構成によると、側壁部において長方形または正方形の直交する関係にある２辺に対応する各側面を第１接地可能部と第２接地可能部とできる。このため、ベンチとして使用していた状態からかまどとして使用できる状態に変えることを、利用者がかまど兼用ベンチを９０度転倒させるだけでできる。
【００１７】
また本発明は、前記一対の側壁部は、一方と他方とが平行な関係にあり、かつ、それぞれのかまど兼用ベンチの側方視による形状が長方形または正方形の板状体であり、前記長方形または正方形における一辺に沿って前記座部が位置し、前記座部の設けられた辺に対して平行な辺に沿って前記第１接地可能部が位置し、前記座部の設けられた辺に対して直交する２辺に沿って前記第２接地可能部が位置し、前記座部の設けられた辺に対して直交する２辺のうち一方の辺に沿って、前記一対の側壁部を連結する複数の棒状体から構成され、調理器具を支持できる支持部が位置し、前記座部の設けられた辺に対して直交する２辺のうち他方の辺に沿って、前記一対の側壁部を連結する複数の棒状体から構成され、燃料を支持できる下方側支持部が位置するものとできる。
【００１８】
この構成によると、支持部で調理器具を支持でき、下方側支持部で燃料を支持できる。このため、食材の煮炊きを容易にできる。
【発明の効果】
【００１９】
本発明は、利用者がかまど兼用ベンチを転倒させることにより、第１接地可能部が設置面に接した状態から第２接地可能部が設置面に接した状態にするだけで、かまどとして使用できる。このため、不慣れな利用者であっても、ベンチとして使用していた状態からかまどとして使用できる状態に変えることが容易であり、かまど兼用ベンチを災害発生時に十分に活用できる。
【図面の簡単な説明】
【００２０】
【図１】本発明につき、一実施形態に係るかまど兼用ベンチをベンチとして使用した状態を示す斜視図である。
【図２】同かまど兼用ベンチをかまどとして使用した状態を示す斜視図である。
【図３】同かまど兼用ベンチをベンチとして使用した状態における、図１のＡ−Ａ矢視縦断面図である。
【図４】同かまど兼用ベンチをかまどとして使用した状態を示す概略図である。
【図５】同かまど兼用ベンチをベンチとして使用した状態を示す正面図である。
【発明を実施するための形態】
【００２１】
次に、本発明につき、一実施形態を取り上げて説明を行う。下記における方向の表示は、図１に示す状態（「ベンチ」の状態）であるかまど兼用ベンチの図示右下側から見た方向を基準とする。つまり、図示右下方向を「前方」、図示左上方向を「後方」、図示右上方向を「右方」、図示左下方向を「左方」とする。「右方」「左方」を総称して「側方」と表示する。また、上下方向の表示は、「ベンチ」「かまど」それぞれの状態における上下方向による。また、内外方向の表示は、一対の側壁部と座部とに囲まれた空間に近い側を「内側」と、前記空間から遠い側を「外側」と表示する。なお、本発明が下記において説明する方向の態様のみに限定解釈されないことは言うまでもない。また、下記の「設置面」とは、かまど兼用ベンチが「ベンチ」「かまど」それぞれの状態で設置される対象である地面やコンクリート面などを指す。
【００２２】
図１に示すように、本実施形態のかまど兼用ベンチ１は、設置面に接する一対の側壁部２ａ，２ｂと、この一対の側壁部２ａ，２ｂを連結する座部３、そして前記一対の側壁部２ａ，２ｂを連結する支持部４ａ，４ｂ（図３参照）を備える。一対の側壁部は、平行な関係にある２個の側壁部である一方側壁部２ａと他方側壁部２ｂによって構成される。
【００２３】
一方側壁部２ａと他方側壁部２ｂは耐熱（耐火）性を有するモルタル製で、側方視による形状が長方形の、厚さが均一である板状体である。本実施形態における具体的寸法は、長方形の長辺が４００mm、短辺が３７５mmとされており、上下方向に長い長方形である。前記長方形のうち上側の短辺に対応する位置に座部３が設けられている。各側壁部２ａ，２ｂはそれぞれ、第１接地可能部２１と、第１接地可能部２１とは異なる部分であり、この第１接地可能部２１に直交する関係にある第２接地可能部２２とを有している。第１接地可能部２１は前記長方形における、座部３が設けられているのと反対側である、下側の短辺に対応する各側壁部２ａ，２ｂにおける側面である。そして第２接地可能部２２は、前記下側の短辺に対して直交する二つの長辺に対応する、各側壁部２ａ，２ｂにおける二つの側面である。
【００２４】
各接地可能部２１，２２は、本実施形態では面全体で設置面に接する。ただしこれ以外に、例えば、各側壁部２ａ，２ｂの側面に形成された突出部が各接地可能部２１，２２とされ、この突出部のみが飛び飛びに設置面に接するものであっても良い。
【００２５】
第１接地可能部２１が設置面に接する状態では、座部３は上方に位置し、この座部３に利用者が座ることのできる状態となる。この状態ではかまど兼用ベンチ１をベンチとして使用できる。そして、このようにベンチとして使用していた状態から、利用者がかまど兼用ベンチ１を後方に９０度転倒させることで、図２に示すように、第２接地可能部２２が設置面に接する状態とできる。第２接地可能部２２は各側壁部２ａ，２ｂにおける二つの側面であるが、そのうちの一つの側面（本実施形態では、「ベンチ」の状態における後方側の側面）が設置面に接する状態となる。この場合、座部３は後方に位置し、一方側壁部２ａ、他方側壁部２ｂ、座部３に囲まれた空間に燃料を配置できる状態となる。この状態ではかまど兼用ベンチ１をかまどとして使用できる。
【００２６】
本実施形態では、図１に示す「ベンチ」の状態から図２に示す「かまど」の状態に転換するために、利用者はかまど兼用ベンチ１を後方に９０度転倒させるだけで良い。逆に、「かまど」の状態から「ベンチ」の状態に転換するために、利用者はかまど兼用ベンチ１を前方に９０度転倒させるだけで良い。このため、不慣れな利用者であっても、「かまど」「ベンチ」の二つの状態を転換することが容易であり、かまど兼用ベンチ１を災害発生時に十分に活用できる。
【００２７】
一方側壁部２ａと他方側壁部２ｂは、図３に示すように、前記長方形における四隅が丸められたアール形状とされている。本実施形態におけるこの部分のアール寸法は４０mmである。これにより、各側壁部２ａ，２ｂは、第１接地可能部２１と第２接地可能部２２との間に、断面形状が円弧状の湾曲面である転倒補助部２３を備える。これにより、利用者がかまど兼用ベンチを９０度転倒させようとすると、転倒補助部２３における設置面に対して接する位置（当接位置）は、第１接地可能部２１に近い側から第２接地可能部２２に近い側へと順次移動していく。この当接位置の移動は、転倒補助部２３が湾曲面であることから円滑になされる。この結果、利用者がかまど兼用ベンチを９０度転倒させることが、各側壁部２ａ，２ｂが転倒補助部２３を備えない場合に比べて容易にできる。
【００２８】
各側壁部２ａ，２ｂの各辺寸法に比べて前記転倒補助部２３のアール寸法が小さいと、利用者がかまど兼用ベンチを転倒させにくい。一方、アール寸法が大きいと、各接地可能部２１，２２の設置面に対する当接面積が小さくなるため、各側壁部２ａ，２ｂの設置状態が不安定になり、「ベンチ」または「かまど」の状態を保ちにくい。このことから、前記アール寸法は、各側壁部２ａ，２ｂの各辺寸法と第１接地可能部２１及び第２接地可能部２２の設置状態の安定性とを比較考量して定められる。具体的には、各側壁部２ａ，２ｂのかまど兼用ベンチ１をベンチとして使用する場合に、接地面から立ち上がった状態となっている辺の長さ（本実施形態では長辺の長さ４００mm）に対する、前記アール寸法の範囲を１／１３〜１／７と定めることができる。なお、前記アール寸法は前記範囲に限定されるものではなく、前記範囲外で定められても良い。
【００２９】
また、各側壁部２ａ，２ｂのそれぞれ外側面に取手部２４が設けられている。本実施形態では、「ベンチ」の状態で上方２箇所に並列して設けられた縦長長方形状の凹部とされているが、これ以外に、突起やハンドル状の形態でも良い。この取手部２４に利用者が手を引掛けることで、かまど兼用ベンチを９０度転倒させることを容易かつ安全に行うことができる。
【００３０】
各側壁部２ａ，２ｂは、各々が対向する側である内壁下部の前後方向中央に固定ブラケット５が備えられており、この固定ブラケット５が設置面に埋め込まれたアンカーボルトに対してナット等で固定されることにより、かまど兼用ベンチ１を設置面に固定できる。この固定により、かまど兼用ベンチ１を安易に移動させることができないため、かまど兼用ベンチ１の盗難及びいたずらを防止することができる。この固定ブラケット５は、「かまど」の状態とされた場合に、図２及び図４に示すように取り外されても良いし、各側壁部２ａ，２ｂに取り付けられたままであっても良い。
【００３１】
ここで、かまど兼用ベンチ１を「ベンチ」の状態から「かまど」の状態に転換する場合には、少なくともアンカーボルトから固定ブラケット５を取り外す必要がある。「かまど」の状態に転換することが必要になるのは災害発生時などであるから、工具類が容易に入手できない可能性が大きい。このことから、アンカーボルトに固定ブラケット５を固定するためのナットとしては、例えば蝶ナット等、手だけで緩めることのできるものとすることが有利である。また、ナットを緩めるための工具を、あらかじめ各側壁部２ａ，２ｂまたは座部３に固定したり埋め込んだりしておくこともできる。
【００３２】
座部３は、各側壁部２ａ，２ｂにおける前記長方形の短辺に沿って位置する板状体である。この座部３は、かまど兼用ベンチ１をベンチとして使用する場合、上面に利用者が座ることができる。本実施形態の座部３は耐熱（耐火）性を有するモルタル製で、各側壁部２ａ，２ｂと一体である。耐熱（耐火）性を有するため、かまど兼用ベンチ１をかまどとして使用する場合に燃料から発する炎に座部３が面しても、炎上や炭化が発生しない。
【００３３】
この座部３は、一方側壁部２ａの内壁上部と、他方側壁部２ｂの内壁上部との間に形成される。図２に示す「かまど」の状態で、この座部３は各側壁部２ａ，２ｂの後方に位置するため、防風板として作用し、燃料の燃焼が風の影響を受けにくくできる。
【００３４】
また、各側壁部２ａ，２ｂは、前記長方形の四隅がアール形状とされていることから、この座部３の縦断面形状も、上側の二隅がアール形状とされている。
【００３５】
なお座部３は、各側壁部２ａ，２ｂと一体であるものに限られず、別体であっても良い。各側壁部２ａ，２ｂ及び座部３の材料はモルタルに限定されるものではなく、耐熱（耐火）性を有することで、燃料から発する熱により破損しにくい種々の不燃材料から形成できる。不燃材料としては、金属、天然石、陶器、不燃処理を施した木材あるいは樹脂が例示できる。また、難燃材料と不燃材料とを組み合わせても良い。
【００３６】
支持部４ａ，４ｂは、図１及び図３に示すように、前記長方形の二つの長辺に沿うように、一方側壁部２ａと他方側壁部２ｂとを連結する各辺あたり３本のステンレス合金製棒状体から構成されている。つまり、座部３の設けられた辺（短辺）に対して直交する２辺（長辺）に支持部４ａ，４ｂが設けられている。この支持部４ａ，４ｂは、かまど兼用ベンチ１をベンチとして使用する状態にて、各壁部２ａ，２ｂの二つの長辺から前後方向中央に離れた位置に、上下方向に等間隔に３本ずつ設けられている。
【００３７】
支持部４ａ，４ｂの各側壁部２ａ，２ｂに対する固定は、例えば各側壁部２ａ，２ｂ間で支持部４ａ，４ｂを突っ張らせることで行う。具体的には、図５に示すように、支持部４ａ，４ｂの各々につき、本体部４１、この本体部４１に対して延長方向にスライド可能に設けたスライドカラー４２、本体部４１とスライドカラー４２とを固定する固定ビス４３を備えたものとする。そして、他方側壁部２ｂの内側面に形成した第１有底穴２５に本体部４１のうちスライドカラー４２を備えない側の端部を差し込んだ上で、スライドカラー４２を本体部４１から伸張方向にスライドさせて一方側壁部２ａの内側面に形成した第２有底穴２６に差し込み、固定ビス４３により支持部４ａ，４ｂが突っ張った状態で固定する。これにより、熱膨張による側壁部２ａ，２ｂの破損が発生した場合であっても、端部を有底穴内にとどまらせ、支持部４ａ，４ｂが各側壁部２ａ，２ｂから脱落してしまうことを抑制できる。なお、第２有底穴２６については、図示のようにテーパ穴とすることが好ましい。
【００３８】
支持部４ａ，４ｂにおいて、かまど兼用ベンチ１をかまどとして使用する場合に上方に位置する上方側支持部４ａには、図４に示すように（図４では、「かまど」の焚口が左側を向いた状態を示している）、鍋やフライパンなどの調理器具Ｐを載せて支持できる。そして、同じくかまどとして使用する場合に下方に位置する下方側支持部４ｂには、木材や炭などの燃料Ｆを載せて支持できる。前記のように、各側壁部２ａ，２ｂの二つの長辺から前後（「ベンチ」の状態にて）方向中央寄りに離れた位置に支持部４ａ，４ｂが設けられているため、第２接地可能部２２が設置面に接する状態では、下方側支持部４ｂで支持した燃料Ｆを設置面から離すことができる。このため、燃料に下方から空気を送り込むことができ、燃料の燃焼状態を良好にできる。そして、燃焼後の灰は、下方側支持部４ｂの更に下方に落下させることができる。なお、下方側支持部４ｂ上、あるいは下方側支持部４ｂの下方に板状の灰受け部材（図示しない）を配置し、設置面に灰が落下しないようにしても良い。
【００３９】
この支持部４ａ，４ｂは、前後（「ベンチ」の状態にて）対称に形成されている。このため、前記「上方側支持部４ａ」「下方側支持部４ｂ」との名称とは、あくまでも、かまど兼用ベンチ１をかまどとして使用する場合の位置関係を基準とした相対的な名称であって、各側壁部２ａ，２ｂの設置面に対する当接状況により変わり得る。つまり、本実施形態では、「ベンチ」の状態における各側壁部２ａ，２ｂの後方側の側面に対応する第２接地可能部２２が「かまど」の状態で設置面に接するが、前記と逆に、前方側の側面に対応する第２接地可能部２２が設置面に接する場合、各支持部４ａ，４ｂの上下は逆になる。このように、本実施形態では、前記長方形の二つの長辺に沿うように、対称に支持部４ａ，４ｂが形成されているため、「ベンチ」の状態から「かまど」の状態に転換する場合にかまど兼用ベンチ１を転倒させる場合の方向が限定されない。よって、「かまど」の状態とした場合の所望の焚口の位置に合わせて兼用ベンチ１を転倒させることができ、前記長方形の一つの長辺のみに沿うように支持部が形成された場合に比べて有利である。
【００４０】
以上のように構成されたかまど兼用ベンチ１は、平常時には、図１に示すように、設置面に第１接地可能部２１が接した状態とされ、この状態で固定ブラケット５を介して設置面に固定されている。この状態のかまど兼用ベンチ１はベンチとして使用され、座部３の上面に利用者が座ることができる。
【００４１】
災害発生時等には、利用者は固定ブラケット５の固定状態を、アンカーボルトからナットを外す等して解除し、各側壁部２ａ，２ｂを後方に９０度転倒させる。これにより、図２に示すように、設置面に第２接地可能部２２が接した状態となる。この状態のかまど兼用ベンチ１はかまどとして使用され、図４に示すように、下方側支持部４ｂ上に燃料を置き、上方側支持部４ａ上に置いた調理器具Ｐを加熱して食材の煮炊きを行うことができる。
【００４２】
以上、本発明の一実施形態について説明したが、本発明は前記実施形態に限定されるものではなく、本発明の要旨を逸脱しない範囲内において種々の変更を加えることができる。
【００４３】
例えば、側壁部は二対（３個）以上を備えていても良い。この場合、中央の側壁部は各対を兼用する。また、各側壁部の側方視による形状は本実施形態のような長方形に限られず、正方形であっても良いし、他の多角形であっても良い。また、各側壁部は厚さが均一である板状体に限らず、例えば、「ベンチ」の状態における下方の厚みが上方の厚みよりも大きな「台形」断面の形状、あるいは、これとは逆の「逆台形」断面の形状でも良い。
【００４４】
また、本実施形態のように、平行な関係にある側壁部によって一対の側壁部が構成されるものに限られず、前方あるいは後方から見た場合に「ハ」の字状、あるいは逆「ハ」の字状に配置された側壁部によって一対の側壁部が構成されても良い。
【００４５】
また、本実施形態の転倒補助部２３は一定曲率を有する湾曲面とされているが、これに限られず、曲率の変化する湾曲面であっても良い。また、転倒補助部２３が例えば各側壁部２ａ，２ｂの厚み方向に直交して延びる突条を備え、この突条だけが設置面に接するものであっても良い。
【００４６】
また、支持部４ａ，４ｂは棒状体に限られず、網状体、格子状体、板状体であっても良い。特に板状体の場合には、貫通孔を備えたことで厚み方向の熱の通過を容易にすることもできる。
【００４７】
最後に、本発明の構成及び作用についてまとめておく。本発明は、ベンチとして使用でき、かまどとしても使用できるかまど兼用ベンチであって、設置面に接する一対の側壁部２ａ，２ｂと、前記一対の側壁部２ａ，２ｂを連結する座部３とを備え、前記一対を構成する側壁部２ａ，２ｂは、ベンチとして使用する場合に前記設置面に接する第１接地可能部２１と、前記第１接地可能部２１とは異なる部分であり、かまどとして使用する場合に前記設置面に接する第２接地可能部２２とを有し、前記第１接地可能部２１が前記設置面に接する状態では、前記座部３は上方に位置し、この座部３に利用者が座ることのできる状態となり、前記第２接地可能部２２が前記設置面に接する状態では、前記座部３は後方に位置し、前記一対の側壁部２ａ，２ｂと前記座部３とに囲まれた空間に燃料を配置できる状態となるかまど兼用ベンチ１である。
【００４８】
この構成によると、側壁部２ａ，２ｂはそれぞれ第１接地可能部２１と第２接地可能部２２とを有する。これにより、利用者がかまど兼用ベンチ１を転倒させることにより、第１接地可能部２１が設置面に接した状態から第２接地可能部２２が設置面に接した状態にするだけで、かまどとして使用できる。
【００４９】
また本発明は、前記一対の側壁部２ａ，２ｂを連結する支持部（上方側支持部）４ａを備え、前記支持部（上方側支持部）４ａは、前記第２接地可能部２２が前記設置面に接した状態で上方に位置することで調理器具を支持できるものであって良い。
【００５０】
この構成によると、支持部（上方側支持部）４ａで調理器具を支持できる。このため、調理器具を支持するために、利用者が鉄棒等をわざわざ探してくる必要がない。
【００５１】
また本発明は、前記側壁部２ａ，２ｂと前記座部３とが不燃材料から形成されたものとできる。この構成によると、側壁部２ａ，２ｂと座部３が炎に面しても燃え上がらない。このため、かまど兼用ベンチ１から部材を取り外さずにかまどとして使用できる。
【００５２】
また本発明は、前記側壁部２ａ，２ｂと前記座部３とが一体に形成されたものとできる。この構成によると、かまど兼用ベンチ１の製造が容易である。
【００５３】
また本発明は、前記第１接地可能部２１と前記第２接地可能部２２との間に、断面形状が円弧状である湾曲面を有する転倒補助部２３を備えたものとできる。
【００５４】
この構成によると、転倒補助部２３が湾曲面を有する。これにより、利用者がかまど兼用ベンチ１を転倒させることにより、第１接地可能部２１が設置面に接した状態から第２接地可能部２２が設置面に接した状態にすることが容易にできる。
【００５５】
また本発明の前記一対の側壁部２ａ，２ｂは、一方と他方とが平行な関係にあり、かつ、それぞれのかまど兼用ベンチ１の側方視による形状が長方形または正方形の板状体であり、前記第１接地可能部２１は前記長方形または正方形における一辺に対応する側面であり、前記第２接地可能部２２は前記長方形または正方形における前記第１接地可能部に対して直交する辺に対応する側面であるものとできる。
【００５６】
この構成によると、側壁部２ａ，２ｂにおいて長方形または正方形の直交する関係にある２辺に対応する各側面を第１接地可能部２１と第２接地可能部２２とできる。このため、ベンチとして使用していた状態からかまどとして使用できる状態に変えることを、利用者がかまど兼用ベンチを９０度転倒させるだけでできる。
【００５７】
また本発明は、前記一対の側壁部は、一方と他方とが平行な関係にあり、かつ、それぞれのかまど兼用ベンチの側方視による形状が長方形または正方形の板状体であり、前記長方形または正方形における一辺に沿って前記座部３が位置し、前記座部３の設けられた辺に対して平行な辺に沿って前記第１接地可能部２１が位置し、前記座部３の設けられた辺に対して直交する２辺に沿って前記第２接地可能部２２が位置し、前記座部３の設けられた辺に対して直交する２辺のうち一方の辺に沿って、前記一対の側壁部２ａ，２ｂを連結する複数の棒状体から構成され、調理器具を支持できる支持部（上方側支持部）４ａが位置し、前記座部３の設けられた辺に対して直交する２辺のうち他方の辺に沿って、前記一対の側壁部２ａ，２ｂを連結する複数の棒状体から構成され、燃料を支持できる下方側支持部４ｂが位置するものとできる。
【００５８】
この構成によると、支持部（上方側支持部）４ａで調理器具を支持でき、下方側支持部４ｂで燃料を支持できる。このため、食材の煮炊きを容易にできる。
【符号の説明】
【００５９】
１…かまど兼用ベンチ、２ａ…一方側側壁部、２ｂ…他方側側壁部、２１…第１接地可能部、２２…第２接地可能部、２３…転倒補助部、３…座部、４ａ…上方側支持部、４ｂ…下方側支持部、５…固定ブラケット、Ｐ…調理器具、Ｆ…燃料
【図１】
2013244176.tif 000003
【図２】
2013244176.tif 000004
【図３】
2013244176.tif 000005
【図４】
2013244176.tif 000006
【図５】
2013244176.tif 000007